(57)【要約】【課題】一定期間に服用する薬を適切な時期に供給するような装置を大型化させず、また、飲み忘れや誤服用を有効に防止できるようにする。【解決手段】垂直軸４３に対して独自に回転自在な複数の保持板５６に複数のポケット４７を設けて薬保持体４４を構成し、その周囲をケーシング４５で囲い、このケーシング４５に開放部ｈを設ける。そしてこの開放部ｈを通して、一枚目の薬保持体４４の表面側と、二枚目の薬保持体４４の裏面側の二面が外部に露出するようにし、この外部に露出するポケット４７内に、一日に服用すべき薬を収納する。そして例えば夜中の所定時刻に、一方側の薬保持体４４を他方側の薬保持体４４の位置まで移動させ、これを繰り返す。【選択図】　　　図８
2004000489.tif 000002
【特許請求の範囲】
【請求項１】
薬の飲み忘れや勘違いによる二重服用等を防止するようにした薬供給装置であって、一定期間に服用する薬を保持する薬保持体が複数配列され、当日分に服用すべき薬保持体だけを一日一回順次取出し可能な開放部に移動させ、その他の薬保持体は目に触れない箇所に隠すようにしたことを特徴とする薬供給装置。
【請求項２】
前記薬保持体は、垂直軸回りに回転自在な回転板またはチェーンに取付けられ、この回転板またはチェーンが一日一回所定角度回転して所定箇所の薬保持体を開放部に臨ませることを特徴とする請求項１に記載の薬供給装置。
【請求項３】
前記薬保持体は、垂直軸回りに独自に回転可能な複数の保持板によって構成され、所定箇所の保持板が一日一回所定箇所に向けて回転移動することを特徴とする請求項１に記載の薬供給装置。
【請求項４】
前記薬保持体には、複数のポケットが形成されることを特徴とする請求項１乃至請求項３のいずれか１項に記載の薬供給装置。
【発明の詳細な説明】
【０００１】
【発明の属する技術分野】
本発明は、例えば薬を常時服用する必要のある人等に対して、飲み忘れや誤飲用防止等に便利な薬供給装置に関する。
【０００２】
【従来の技術】
従来、例えば定時的に薬を服用する必要のある人で、服用の自己管理が困難なような人に薬を供給するような装置として、例えば予め薬をカプセルに収容して上下に積重ね、タイマースイッチによって最下段のカプセルを下方の取出し口に落下させるとともに、それを報知するような技術が知られている。（例えば、特許文献１参照。）。
【０００３】
【特許文献１】
特開平９−２５３１７２号公報
【０００４】
【発明が解決しようとする課題】
ところが、上記のような装置は、薬を収容するカプセルを上下に積重ねるため、例えば一日に複数回の服用が義務付けられている場合等には、数週間分のカプセルを積み重ねようとすると装置が極めて大型化するという問題がある。
また、例えば利用者が装置の近くにいなかった場合等において、カプセルが取出し口に溜まっている場合、いつの時点で飲むべきカプセルであったのかが不明であり、その後の服用管理が難しくなるという問題もある。
【０００５】
そこで本発明は、一日に複数回の服用が義務付けられているような場合でも、適切な時期に服用できるような装置を提供するとともに、装置を小型化し、また、飲み忘れを発見しても、いつの時点で飲み忘れたかが容易に判り、その後の服用管理が容易に行えるようにすることを目的とする。
【０００６】
【課題を解決するための手段】
上記目的を達成するため本発明は、薬の飲み忘れや勘違いによる二重服用等を防止するようにした薬供給装置において、一定期間に服用する薬を保持する薬保持体を環状列として複数配列し、当日分に服用すべき薬保持体だけを一日一回順次取出し可能な開放部に移動させ、その他の薬保持体は目に触れない箇所に隠するようにした。
【０００７】
そして、例えば薬を毎日服用することを義務付けられている場合には、複数の薬保持体の中に一定期間の薬を収納し、例えば夜中の所定時刻に、当日分または翌日分に服用すべき薬保持体だけを開放部に臨ませるよう移動させ、その他の薬保持体を目に触れない箇所に隠しておくことで、例えば飲み忘れの薬がある場合は、すぐに気付くようになり、飲み忘れや二重服用等の誤服用が起きにくい。
ここで、薬保持体の移動機構としては各種態様が考えられるが、例えば回転機構等を使用すれば、装置の大型化を招かず小型化が可能となる。
【０００８】
また本発明では、前記薬保持体を、垂直軸回りに回転自在な回転板またはチェーンに取付けるようにし、この回転板またはチェーンを一日一回所定角度回転させて所定箇所の薬保持体を開放部に臨ませるようにした。
このように、垂直軸回りに回転自在な回転板またはチェーンに薬保持体を取り付けるような回転機構を採用するようにすれば、装置の小型化、軽量化が図られる。
【０００９】
また本発明は、前記薬保持体を、垂直軸回りに独自に回転可能な複数の保持板によって構成し、所定箇所の保持板を一日一回所定箇所に向けて回転移動させるようにした。
このように、所定箇所の保持板だけを移動させて、一日に服用すべき薬を開放部に臨ませるようにすれば、モータ等の回転駆動源にかかる負荷が減少し、電池やバッテリー等を使用出来るようになって装置の設置場所の自由度が増す。
【００１０】
また本発明では、前記薬保持体に、複数のポケットを形成するようにした。
このように、複数のポケットを形成すれば、例えば一日分の薬でも更に服用時期を、朝用、昼用、夜用等に区分して収納することが出来、飲み忘れの防止に一層効果的であるとともに、飲み忘れた場合でもその時期が明確なため、その後の服用管理等が適切に行えるようになる。
【００１１】
【発明の実施の形態】
本発明の実施の形態について添付した図面に基づき説明する。
ここで図１は本発明に係る薬供給装置の第１実施例の全体図、図２は同分解斜視図、図３は回転体の説明図、図４は回転体の回転作動を説明する説明図、図５は薬保持体の前進作動を説明する説明図、図６及び図７は本装置の第２実施例の説明図、図８乃至図１１は本装置の第３実施例の説明図である。
【００１２】
本発明に係る薬供給装置は、薬の飲み忘れや二重服用等の防止に有効なようにされるとともに、例えば一日に複数回の服用が義務付けられている場合でも、薬を供給する装置を小型化することができ、また、薬を飲み忘れた場合でも、その後の服用管理が容易なようにされている。
【００１３】
すなわち、本装置１の第１実施例は、図１、図２に示すように、装置本体２と、この装置本体２に対して回転自在な回転体３と、この回転体３の周囲に着脱自在に配設されるカバー４を備えている。
【００１４】
そして回転体３には、複数の薬保持体５が環状列となって配設されるとともに、この薬保持体５は、後述するように保持プレート２９の前面に取付けられる複数のポケット２７から構成され、また、前記カバー４には、薬保持体５が出入り可能な開放部ｈが形成されている。
そして、例えば日中は、所定箇所の薬保持体５が開放部ｈから飛び出した状態で一日が経過し、例えば夜中の所定時刻に自動的に薬保持体５が開放部ｈの奥に引っ込んだ後、回転を始め、隣の薬保持体５が開放部ｈの位置まで回転すると、回転を停止して新たな薬保持体５が開放部ｈを通して前方に飛び出すようにし、一日ごとにこの動作を繰り返すようにしている。
【００１５】
前記装置本体２は、図２に示すように、円板状の機台６と、この機台６の中央部に固定される軸受筒７と、機台６の一端側寄りに立設される第１受部材８と、他端側寄りに立設される第２受部材９を備えており、前記第１受部材８上には、不図示の２４時間タイマーにより作動する駆動モータ１０と減速機１１が配設されるとともに、減速機１１から延出する駆動軸１２の延出端部が、前記第２受部材９によって回動自在に枢支されている。
そして、前記駆動軸１２には、前記回転体３を回転させるための第１カム１３と、薬保持体５をカバー４の開放部ｈを通して飛び出させるための第２カム１４とが位相を異ならせて設けられている。
【００１６】
また、軸受筒７には、ブラケット１５が突設されており、このブラケット１５には、揺動アーム１６の基端部が揺動自在に枢支されている。そしてこの揺動アーム１６は、基端側のバネ１８によって通常時は上端部が後方に向けて付勢されるとともに、揺動アーム１６の中間部には、前記第２カム１４に係合可能な係合部材１７が突設されており、前記第２カム１４が係合部材１７を押圧しながら回転すると、揺動アーム１６の上端部が前方に向けて揺動するようにしている。
【００１７】
また、揺動アーム１６の基端部には、レバー２０が取り付けられており、このレバー２０の先端は、駆動モータ１０の駆動を制御するためのマイクロスイッチ２１に当接自在にされている。
そして、前記第２カム１４が係合部材１７に当接して揺動アーム１６の上端部が前方に向けて揺動すると、最大揺動箇所付近でレバー２０の先端がマイクロスイッチ２１に当接し、駆動モータ１０の駆動を停止させるようにしている。
尚、機台６上には、電源コードを接続したり、装置のオン・オフを作動させるためのスイッチ部１９が設けられ、また、このスイッチ部１９と駆動モータ１０とマイクロスイッチ２１等との間には、電気配線が設けられている。
【００１８】
前記回転体３は、図３にも示すように、前記軸受筒７に挿入可能な中心軸２２と、この中心軸２２の上部側に取り付けられる八角形の回転板２３を備えており、この回転板２３の八辺部には、前記薬保持体５が保持されている。また、回転板２３の下面には、薬保持体５の位置に対応して８個のスライドガイド２４が取り付けられており、各スライドガイド２４には、薬保持体５から後方に延出するスライドバー２５が挿通されている。
【００１９】
そして、スライドガイド２４とスライドバー２５との間には、スライドバー２５を後方に向けて付勢するバネ２６が設けられており、通常時は薬保持体５の背面が回転板２３の辺部に当接する位置まで引き込まれるようにしている。
また、後述する要領により薬保持体５が前記開放部ｈの位置まで回転すると、図３の鎖線に示すように、前記揺動アーム１６の先端部が、スライドバー２５の後方に位置するようにされている。
【００２０】
また、前記第１カム１３は、図４にも示すように、スライドガイド２４の側面に当接可能となり、第１カム１３が回転中にスライドガイド２４の側面を押圧することにより、回転体３を一定角度だけ回転させて、隣接する薬保持体５を順次開放部ｈの位置に臨ませることが出来るようにされている。
【００２１】
前記薬保持体５の保持プレート２９の前面には、一日に服用する薬を保持することの出来る保持部が形成され、本実施例では、朝服用分、昼服用分、夕服用分、夜服用分の４回に分けて収容することの出来る複数のポケット２７を設けている。
【００２２】
以上のような薬供給装置の作用等について説明する。
病院等から数日分の薬を纏めて受領すると、利用者は装置１のカバー４を外して、薬保持体５のポケット２７に数日分の薬を区分けして収容する。この際、実施例では、８つの薬保持体５があるため、８日分の薬を同時にセットでき、また、一日のうちでも朝用、昼用、夕用、夜用に仕分けして各ポケット２７にセットできる。勿論、一日三回の服用であれば、一つのポケット２７は空にしておく。
そして薬の収容が完了すると、カバー４を被せ電源を入れる。
【００２３】
すると、駆動モータ１０が作動して駆動軸１２が回転し、図４に示すように、まず第１カム１３がスライドガイド２４を押圧し、回転体３を回転させる。そして、所定箇所の薬保持体５が開放部ｈの位置に来ると、第１カム１３とスライドガイド２４の係合が外れて回転体３の回転が停止する。
【００２４】
更に駆動軸１２が回転すると、図５に示すように、第２カム１４が揺動アーム１６の係合部材１７に係合するようになり、揺動アーム１６が揺動を始める。
すると、揺動アーム１６の上端がスライドバー２５を押圧するようになり、当該薬保持体５が前進して、開放部ｈから飛び出る。そして、揺動アーム１６が最大揺動箇所付近になると、レバー２０がマイクロスイッチ２１に当接して駆動モータ１０が停止する。
そして、この飛び出た薬保持体５に保持される薬が一日分に服用すべき薬であり、利用者は、朝、昼、夕、夜に仕分けされた薬を時期に応じて服用する。
【００２５】
この際、服用を忘れても、ポケット２７に残る薬を見れば一目瞭然であり、また、例えば若干服用時間が遅れた時点で気付いた場合でも、その後の服用時間の調整等が容易である。
更に、勘違いで二重服用するような間違いも起きにくい。
【００２６】
一日が終了し、例えば夜中の所定時刻になると、２４時間タイマーによって駆動モータ１０が自動的に作動して駆動軸１２が回転を始めるようになり、第２カム１４と係合部材１７の係合が徐々に外れて、揺動アーム１６はバネ１８力で元の状態に復帰するとともに、薬保持体５のスライドバー２５はバネ２６力により後退する。このため、薬保持体５が開放部ｈ内に没入する。
次いで、第１カム１３がスライドガイド２４を押圧し、回転体３が回転して隣の薬保持体５を開放部ｈの位置に臨ませた後、第２カム１４が揺動アーム１６の係合部材１７を押圧して揺動アーム１６が揺動を始め、揺動アーム１６に押された薬保持体５が前進して、開放部ｈから飛び出る。
このような操作が一日ごとに繰り返される。
【００２７】
ところで、以上の実施例の場合、薬保持体５を所望の角度で回転させた後、前方に押出して開放部ｈから飛び出せるようにしているため、装置が複雑化、大型化する傾向にあるが、図６、図７に示す第２実施例では、薬保持体５の押出し機能を廃止し、装置の小型化、簡素化を図るようにしている。
ここで、図６は第２実施例の装置の全体図、図７は同内部構造の説明図である。
【００２８】
すなわち、本装置１の第２実施例は、図６、図７に示すように、形状が略楕円形状とされ、開放部ｈを有するケーシング３２と、このケーシング３２に対して回転自在な第１回転軸３０と第２回転軸３１を備えている。
そしてこの第１回転軸３０と第２回転軸３１には、それぞれ上下一対の溝付きプーリ３３が取り付けられるとともに、このプーリ３３には、上下一対のチェーン３４が巻回され、溝内に嵌め込まれている。
【００２９】
そして、このチェーン３４には、所定間隔置きに複数の薬保持体３５が取り付けられており、この薬保持体３５の前面には、複数のポケット３６が設けられている。
また、チェーン３４の下方には、チェーン３４の弛みを防止するためのガイド３８が設けられている。
【００３０】
また、第１回転軸３０の下方部には、歯車３７が取り付けられている。
そして、ケーシング３２に固定される支持部材３９には減速機付き駆動モータ４０が取り付けられており、この駆動モータ４０の出力軸に設けられるカム４１が歯車３７に係合可能にされている。
【００３１】
そして、不図示の２４時間タイマー等により駆動される駆動モータ４０が作動すると、カム４１が間欠的に歯車３７に係合して薬保持体３５をコマ送りし、順次隣接する薬保持体３５を開放部ｈの位置に臨ませるようにされている。
【００３２】
以上のような薬供給装置１において、複数の薬保持体３５に数日分の薬を同時に収容し、２４時間タイマーにより、隣接する薬保持体３５を順次開放部ｈの位置に移動させて薬を取り出し可能にするとともに、一つの薬保持体３５で一日分の薬を供給することについては、第１実施例と同様である。
そしてこの場合も、薬が、朝用、昼用等の服用時期ごとに区分けされてポケット３６に収容されているため、飲み忘れや勘違いによる誤服用防止に有効である。
【００３３】
次に、図８乃至図１１に基づき第３実施例の薬供給装置を説明する。
ここで、図８は第３実施例の薬供給装置の全体図、図９は分解斜視図、図１０は装置本体の説明図、図１１はケーシングの突起カム面を説明するため一部を破断した説明図である。
【００３４】
本装置の第３実施例は、上記実施例１や実施例２のように、回転板２３やチェーン３４によって全ての薬保持体５、３５を同時に回転させる代わりに、１ヶ所の薬保持体だけを回転させるようにすることで、駆動モータ等の負荷を軽減させ、例えば電池やバッテリー等の駆動源でも長期間使用できるようにしたものである。
【００３５】
すなわちこの装置１は、装置本体４２と、垂直軸４３に独自に回転可能に設けられる複数の薬保持体４４と、この薬保持体４４の外側に被せられるケーシング４５を備えており、前記薬保持体４４は、保持板４６に保持される複数のポケット４７から構成されるとともに、前記ケーシング４５には、開放部ｈが設けられている。
【００３６】
前記装置本体４２は、図１０に示すように、底板４８の中央部に固定される軸受５０と、この軸受５０によって回転自在に支持される回転軸５１と、この回転軸５１を回転させるための減速機付き駆動モータ５２を備えており、前記回転軸５１の上部には水平円板５３が固定されている。
また、回転軸５１の中間部には、側方に向けて張出す押上げ用カム５４が設けられており、この押上げ用カム５４は、回転中、後述するストッパバー６３の下端部に当接すると、ストッパバー６３を押上げることが出来るようにされている。
【００３７】
また、この押上げ用カム５４に隣接してローラカム５５が設けられ、このローラカム５５は、水平円板５３に対して基端部側が上下に揺動可能な揺動アーム５９の先端部に取付けられている。そしてこの揺動アーム５９は、スプリング５６によって上方に付勢されるとともに、揺動アーム５９の先端側には、水平円板５３の切欠き部５３ｋを通して上方に向けて突出するピン５７が設けられている。そして、このピン５７は、通常時はスプリング５６の付勢力によって水平円板５３の上面より上方に突出するようにされている。
因みに、このピン５７は、水平円板５３より上方に突出した状態になると、水平円板５３と共に回転する際、回転下流側に位置する薬保持体４４の下端部に当接して押圧することで、当該薬保持体４４を回転させる役割を有している。
【００３８】
また、この揺動アーム５９の近傍には、駆動モータ５２の作動を制御するマイクロスイッチ６５や図に現れないタイマー等が設けられており、このマイクロスイッチ６５やタイマーの制御によって、所定時刻になると、駆動モータ５２が一日一回、一回転するようにしている。
【００３９】
前記垂直軸４３は本実施例では中空部材から構成され、その下端部には、軸受コマ５８が回動自在に嵌合している。そして、この軸受コマ５８は、前記回転軸５１の上面に形成される六角穴５１ｈに嵌合可能となり、回転軸５１が回転すると、軸受コマ５８だけが回転軸５１や水平円板５３と一緒に回転するようにされている。
【００４０】
前記薬保持体４４の保持板４６は、それぞれが独自に垂直軸４３に対して回動可能にされており、表裏面にポケット４７を吊下げるための吊り具６０が複数取り付けられている。そして本実施例では、片面側に朝用、昼用の二ヶ所、反対面側に夕用、夜用の二ヶ所が設けられ、後述するように、二枚の保持板４６の表面と裏面が同時に開放部ｈに開放されるようにしている。
尚、各保持板４６の一方側の所定面には、隣接する保持板４６が所定角度以下に閉じた状態になるのを防止するスペーサ片６１が取り付けられている。
【００４１】
前記ケーシング４５は、薬保持体４４の外部に被せることが出来るようにされ、下方内周面部に環状のフランジ部６２を備えるとともに、このフランジ部６２より上方の外周の約半分弱が切り取られて開放部ｈとされている。そして、フランジ部６２の内径は、装置本体４２の水平円板５３の径より僅かに大きめにされ、組み付け時にはフランジ部６２の内周部に水平円板５３を遊嵌せしめることが出来るようにされている。
【００４２】
また、前記フランジ部６２のうち、開放部ｈの一方側端部に近い箇所には、ストッパバー６３が上下動可能に設けられている。このストッパバー６３は、フランジ部６２をスライド自在に貫通するとともに、上端部は、内側に張出して薬保持体４４の保持板４６の前面を遮ることが出来るような係止部６３ｋとされ、下端部は、前記押上げ用カム５４に係合可能にされている。
そして、前記回転軸５１に回転に連れて押上げ用カム５４が通過する際、押上げ用カム５４がストッパバー６３の下端部に当接すると、ストッパバー６３は上方に押し上げられて係止部６３ｋが薬保持体４４から外れ、押上げ用カム５４が通過してしまうと、ストッパバー６３は自重により下方に落下して係止部６３ｋが保持板４６の前面を遮るようにしている。
尚、このストッパバー６３は、不図示の機構により、一定の高さ以下に降下しないようにしている。
【００４３】
また、フランジ部６２の底面側の内周縁部には、開放部ｈやその近傍を除く箇所に突起カム面６４が設けられ、この突起カム面６４に前記ローラカム５５が係合可能にされている。そして、ローラカム５５が突起カム面６４のある場所を通過する時は、突起カム面６４によって揺動アーム５９が下方に押し下げられ、ピン５７が水平円板５３より下方に没入するとともに、ローラカム５５が突起カム面６４のない箇所を通過する時は、スプリング５６力によって揺動アーム５９が上方に揺動し、ピン５７が水平円板５３より上方に突出するようにされている。そして、この突出したピン５７によって、回転軸５１や水平円板５３の回転に伴って、開放部ｈの両端付近に位置する二枚の薬保持体４４のうち、回転上流側の薬保持体４４の背面を押圧して、一枚だけめくるような感じで移動させるようにしている。
【００４４】
以上のような装置１において、装置本体４２の回転軸５１の六角穴５１ｈに垂直軸４３下端の軸受コマ５８を嵌合させ、外側にケーシング４５を被せて図８のような状態に組み付ける。この際、開放部ｈの両端部付近には二枚の薬保持体４４の表面と裏面がそれぞれ外部に露出するようにされており、各薬保持体４４のポケット４７内に一日分の薬が収納されている。
【００４５】
一日が経過して、例えば夜中の所定時刻になると、タイマーの作動によって駆動モータ５２が作動し、回転軸５１や水平円板５３が回転を始める（図８の時計方向周り）。この際、ピン５７は、図８の左方の薬保持体４４の前面付近に位置しているが、回転を始めると同時に、ローラカム５５が突起カム面６４に当接して揺動アーム５９が下方に揺動することにより、ピン５７は水平円板５３より下方に没入した状態で回転する。このため、回転を始めた当初は、ピン５７はいずれの薬保持体４４に干渉することなく、すべての薬保持体４４は現在の個所を維持している。
【００４６】
回転軸５１や水平円板５３が約１８０度強回転すると、まず、押上げ用カム５４がストッパバー６３の下端部に当接してこれを押上げ、それまで係止部６３ｋを係合させていた薬保持体４４から離脱させる。次いで、これとほぼ同時に、ローラカム５５が突起カム面６４から外れて揺動アーム５９が上方に揺動し、ピン５７が水平円板５３より上方に突出する。そしてこのピン５７が上方に突出する位置は、図８の右方の薬保持体４４と、その奥の２番目（図では隠されている）の薬保持体４４の中間部である。
【００４７】
そして回転軸５１や水平円板５３はそのまま回転を継続し、上方に突出したピン５７は、図８右方の薬保持体４４の背面を押圧して、当該薬保持体４４を一緒に回転させ始める。そして、当該薬保持体４４が回転を始めストッパバー６３の位置を過ぎると、ストッパバー６３は押上げ用カム５４から外れて下方に落下する。そして、係止部６３ｋが２番目の薬保持体４４の前進を妨げる位置になる。そして、ピン５７により押圧されて移動した薬保持体４４が、図８の左方の位置まで来ると、マイクロスイッチ６５の作動によって駆動モータ５２の作動が停止し、この状態では、開放部ｈの両端付近に位置する二枚の薬保持体４４の表裏面のポケット４７には、翌日または当日分の薬が収納され、開放部ｈから容易に取出すことが出来るようにされている。そしてこの状態で一日が経過し、これが繰り返される。
【００４８】
そしてこの第３実施例では、駆動モータ５２により連れ回すのが一日一回、１ヶ所の薬保持体４４だけであるため、駆動モータ５２にかかる負荷が軽減され、例えば電池等を駆動源として、設置場所の自由度を高めることが出来る。
尚、この実施例では、停電等に備えてバックアップ用電源を接続している。
【００４９】
尚、本発明は以上のような実施形態に限定されるものではない。本発明の特許請求の範囲に記載した事項と実質的に同一の構成を有し、同一の作用効果を奏するものは本発明の技術的範囲に属する。
例えば薬保持体５、３５、４４の配設数や、ポケット２７、３６、４７の数等は例示である。
また、実施例３において、ストッパバー６３の上下動や、ピン５７の上下動は、磁石の作用で行わせるようにしても良い。
【００５０】
【発明の効果】
以上のように本発明に係る薬供給装置は、一定期間に服用する薬を保持する薬保持体を複数配列し、当日分に服用すべき薬保持体だけを一日一回順次取出し可能な開放部に移動させるようにし、その他の薬保持体は目に触れない箇所に隠すようにしたため、薬の飲み忘れや誤服用等を防止することが出来る。
この際、前記薬保持体を、垂直軸回りに回転自在な回転板またはチェーンに取付け、この回転板またはチェーンを一日一回回転させて所定箇所の薬保持体を開放部に臨ませるようにすれば、装置の小型化や軽量化が図られる。
また、薬保持体を、垂直軸回りに独自に回転可能な保持板によって構成し、所定箇所の保持板を一日一回所定箇所に向けて回転移動させるようにすれば、モータ等の回転駆動源にかかる負荷が減少し、電池やバッテリー等を使用出来るようになって装置の設置場所の自由度が増す。
また、薬保持体に、複数のポケットを形成すれば、例えば服用時期別に収容する等によって飲み忘れ等を一層有効に防止出来るとともに、飲み忘れた場合でも、その後の服用管理等が適切に行えるようになる。
【図面の簡単な説明】
【図１】本発明に係る薬供給装置の第１実施例の全体図
【図２】同分解斜視図
【図３】回転体の説明図
【図４】回転体の回転作動を説明する説明図、
【図５】薬保持体の前進作動を説明する説明図
【図６】第２実施例の薬供給装置の全体図
【図７】同内部構造の説明図
【図８】第３実施例の薬供給装置の全体図
【図９】同分解斜視図
【図１０】装置本体の説明図
【図１１】ケーシングの突起カム面の説明するため一部を破断した説明図
【符号の説明】
１…薬供給装置、３…回転体、４…カバー、５…薬保持体、２３…回転板、２７…ポケット、３２…ケーシング、３４…チェーン、３５…薬保持体、３６…ポケット、４３…垂直軸、４４…薬保持体、４６…保持板、４７…ポケット、ｈ…開放部。
【図１】
2004000489.tif 000003
【図２】
2004000489.tif 000004
【図３】
2004000489.tif 000005
【図４】
2004000489.tif 000006
【図５】
2004000489.tif 000007
【図６】
2004000489.tif 000008
【図７】
2004000489.tif 000009
【図８】
2004000489.tif 000010
【図９】
2004000489.tif 000011
【図１０】
2004000489.tif 000012
【図１１】
2004000489.tif 000013